(57)【要約】【課題】従来の検査結果などを携帯電話やパソコンに配信する医療機関向けシステムでは、特定の医療機関と患者間のシステムであるから、他で検査をした結果は取り込まれずデータ量が少なく、他で検査をした検査結果の様式は、各々で異なっていることが多く、経過が見にくく分かり難かった。このような状況の中、様式の異なった検査結果を同じ様式にまとめ経過も見易くし、検体提出者の健康管理に役立てる事が出来るサービスが望まれていた。本発明は上記の課題を解決する臨床検査データサービスを提供する。【解決手段】臨床検査データサービス提供者のコンピュータに検査データを集め、顧客の情報機器と送受信することを特徴とするものである。【選択図】図２
2004185577.tif 000002
【特許請求の範囲】
【請求項１】
電気通信回線、記憶媒体や文書などで集めた各種検査データを、臨床検査データサービス提供者のコンピュータに入力し検査結果を蓄積し、定まった様式とし、顧客のパソコン、ＰＤＡや携帯電話等の情報機器と機器に応じて有線や無線で送受信する事を特徴とする臨床検査データサービス。
【請求項２】
医療情報を提供する事を特徴とする請求項１記載の臨床検査データサービス。
【請求項３】
顧客の要望に応じて、予め、またはその場でパソコン、ＰＤＡや携帯電話等の情報機器を利用して検査結果報告書などのデータを出力する事を特徴とする請求項１記載の臨床検査データサービス。
【請求項４】
臨床検査データサービス提供者が医療機関や検査機関を兼ねる事を特徴とする請求項１記載の臨床検査データサービス。
【請求項５】
複数の医療機関や検査機関での検査データを臨床検査データサービス提供者が受け取り、各種の蓄積したデータ他と共に顧客に提供する事を特徴とする請求項１記載の臨床検査データサービス。
【発明の詳細な説明】
【０００１】
【発明の属する技術分野】本発明は、尿、糞便、血液やその他の検査結果を、臨床検査データサービス提供者のコンピュータに蓄積し、検査結果を顧客のパソコン、ＰＤＡ（携帯情報端末）や携帯電話等の情報機器に送信したり、顧客のパソコン、ＰＤＡや携帯電話等の情報機器からの問い合わせに、コンピュータに蓄積した検査結果を返答し、検体提出者の健康管理に役立てる臨床検査データサービスに関する。
【０００２】
【従来の技術】従来、医療機関向けシステムとして、検査の後、検査結果を、電子メールで患者の携帯電話に配信するものがある（例えば、非特許文献１参照。）。
【非特許文献１】「ＮＳＤ  プレスリリース」、株式会社日本システムディベロップメント、２００２年２月４日
【０００３】
【発明が解決しようとする課題】従来の医療機関向けシステムでは、検査結果などを携帯電話やパソコンに配信し、利用者が情報を見ることが出来ると共に、別の病院で治療を受ける際にこの情報を参考にする事が出来る。
【０００４】しかし、いくつかの病院で検査をしたり、家庭や職場などで検査キットなどを用いて得た検体を、医療機関や検査機関などで検査をする事もある。こうした時は、検査結果の様式が各々で異なっていたり、また文書による結果報告が多く、集まったデータはバラバラであり検査結果の経過が見にくく、また、従来の医療機関向けシステムでは、特定の医療機関と患者間のシステムであるから、データ量が少ないので検査結果の経過が分かり難かった。
【０００５】本発明は、上記のような問題点を解決することを課題とするものであって、その目的は即ち、様式の異なった検査結果を同じ様式にまとめ検査結果の経過も見易くし、検体提出者の健康管理に役立てる事が出来る臨床検査データサービスを提供することにある。
【０００６】
【課題を解決するための手段】上記目的を達成するために、本発明に係る臨床検査データサービスは、電気通信回線、記憶媒体や文書等で集めた検査データを、臨床検査データサービス提供者のコンピュータに入力し検査結果を蓄積し、定まった様式とし、その結果を顧客のパソコン、ＰＤＡや携帯電話等の情報機器に機器に応じて有線や無線で送信したり、顧客のパソコン、ＰＤＡや携帯電話等の情報機器からの問い合わせには、検査結果を蓄積したコンピュータを用い返答し、検体提出者の健康管理に役立て、顧客の満足を得る。
【０００７】次に、一例を挙げて説明するがこの例に限定されない。例えば、多くの病院、施設や家庭を顧客に持つ貸しオムツ業者は、顧客に布オムツを貸し出し、使用済み布オムツを回収し、クリーニングをして再度顧客に貸し出していたが、昨今紙オムツも手がけるようになり、紙オムツの場合は納品し、使用済み紙オムツを顧客が処分するか、貸しオムツ業者が回収して埋め立てや焼却等の処分をしていた。いずれにしても、定期的に多くの顧客を訪問していたので、潜在的に検体を受け取る機会、特に尿、糞便の検体を受け取る機会は多く存在した。
【０００８】臨床検査データサービスは、尿や糞便が付着した顧客の使用済みオムツ、検査キットやその他の方法で得た各種検体を、貸しオムツ業者などの臨床検査データサービス提供者が受け取り、医療機関や検査機関にて検査をし、得た検査結果や顧客から得た検査結果報告書などのデータを臨床検査データサービス提供者のコンピュータに蓄積し、その結果を顧客のパソコン、ＰＤＡや携帯電話等の情報機器に機器に応じて有線や無線で送信し、顧客のパソコン、ＰＤＡや携帯電話等の情報機器からの問い合わせには、検査結果を蓄積したコンピュータを用い返答し、検体提出者の健康管理に役立て、顧客の満足を得ると同時に、今までの業務に付加価値を付ける。もちろん、臨床検査データサービス提供者が医療機関や検査機関を兼ねても良い。また、医療情報も提供できればなお良い。
【０００９】なお、使用済みオムツを直接医療機関や検査機関に持ち込むのではなく、オムツから検体を取り出し検体を持ち込んでも良い。また、オムツ使用者だけでなくその家族、縁者などにも各種の検査キットを配布し検査をして利用者の健康管理に役立てると良い。
【００１０】顧客の中にはパソコン、ＰＤＡや携帯電話等の情報機器を持たなかったり操作が不得手の人もいるので、臨床検査データサービス提供者は、顧客の要望に応じて、予め、またはその場でパソコン、ＰＤＡや携帯電話等の情報機器を利用して検査結果報告書などのデータを出力する。もちろん、このサービス提供者は、貸しオムツ業者に限定されるものではないし、前記のようにオムツ使用者でなくてもこのサービスを受ける事は出来る。
【００１１】臨床検査データサービス提供者が引き取るものは、オムツ以外に、パッドや尿キャッチなどであっても良いし、他の手段で採取した尿や糞便を預り検査に供してもよい。また採取した尿や糞便などは変質を防ぐ為、臨床検査データサービス提供者が引き取る直近に採取したものを提出するのが望ましく、冷蔵保存するとなおよい。
【００１２】検体提出者の健康状態も、情報機器を利用して臨床検査データサービス提供者に送信することも良い。
【００１３】
【発明の実施の形態】以下に本発明の実施形態を、図面を参照しながら具体的に説明するが、この実施形態に限定されるものではない。図１は従来の医療機関向けシステムの概略図である。患者はパソコン６１や携帯電話６３から医療機関３２のサイトにつないで検査結果などの情報を見るが、いくつかの病院で検査をしたり、家庭や職場で検査キットなどを用いて得た検体を、他の医療機関３や検査機関４などで検査をする事もある。こうした時は、検査結果の様式が各々で異なっていたり、また文書７による結果報告が多く、集まったデータはバラバラであり検査結果の経過が見にくく、また、従来の医療機関向けシステムでは特定の医療機関３２と患者間のシステムであるから、データ量が少ないので検査結果の経過が分かり難い。
【００１４】図２は本発明の一実施形態である本発明に係る臨床検査データサービスの概略図である。顧客６より尿や糞便が付着した使用済みオムツ１または検体や各種検体などを、臨床検査データサービス提供者２が引き取り、医療機関３や検査機関４にて検査をし、検査結果を電話回線、通信回線やインターネットなどの電気通信回線５を利用して臨床検査データサービス提供者２のコンピュータ２１に蓄積し、その結果を電気通信回線５を利用して顧客６のパソコン６１、ＰＤＡ６２や携帯電話６３等の情報機器に機器に応じて有線か無線で送信し、顧客６のパソコン６１、ＰＤＡ６２や携帯電話６３等の情報機器からの問い合わせには、検査結果を蓄積したコンピュータ２１を用い返答し、検体提出者の健康管理に役立て、顧客６の満足を得ると同時に、今までの業務に付加価値を付ける。臨床検査データサービス提供者２が医療機関３や検査機関４を兼ねる時は、相互をＬＡＮで結ぶと良い。
【００１５】また、文書７や記録媒体７１などで集めた検査データを、臨床検査データサービス提供者２のコンピュータ２１に入力し検査結果を蓄積し、顧客６のパソコン６１、ＰＤＡ６２や携帯電話６３等と送受信し顧客６の満足を得る。顧客６の中にはパソコン６１、ＰＤＡ６２や携帯電話６３等の情報機器を持たなかったり操作が不得手の人もいるので、臨床検査データサービス提供者２は、顧客６の要望に応じて、予め、またはその場でパソコン６１、ＰＤＡ６２や携帯電話６３等の情報機器を利用して、検査結果報告書などのデータを出力する事により顧客６の満足を得る。
【００１６】なお、ここでいう顧客６は、検体提出者やその代理人や検体提出者が利用する各種の病院や施設などになる。そして、検体提出者は転院する事もあり、他の医療機関３１や検査機関４１による各種の検査結果も受け入れれば検査結果の蓄積に厚みが出るし、時間の流れを受けた各種の検査結果を提供できいっそう検体提出者の健康管理に役立てる。もちろん、この臨床検査データサービス提供者２は、貸しオムツ業者に限定されるものではない。また、検体を持ち込まず医療機関３、検査機関４、医療機関３１や検査機関４１での検査データのみをオンラインまたはオフラインで臨床検査データサービス提供者２が受け取り、各種の蓄積したデータ他と共に顧客に提供しても良い。また、検査結果以外に医療情報を提供することも可能である。
【００１７】
【発明の効果】以上説明したように、本発明に係る臨床検査データサービスは、臨床検査データサービス提供者が、検体提出者の多くの検査結果をコンピュータに蓄積し、検体提出者は多くの蓄積された検査結果を、身近な情報機器で引き出すことが出来るので手軽に健康管理に役立てることが出来る。また、検査結果以外に医療情報を提供することも可能である。
【図面の簡単な説明】
【図１】従来の医療機関向けシステムの概略図である。
【図２】本発明に係る臨床検査データサービスの概略図である。
【符号の説明】
１      使用済みオムツ
２      臨床検査データサービス提供者
２１    コンピュータ
３      医療機関
３１    医療機関
３２    医療機関
４      検査機関
４１    検査機関
５      電気通信回線
６      顧客
６１    パソコン
６２    ＰＤＡ
６３    携帯電話
７      文書
７１    記憶媒体
【図１】
2004185577.tif 000003
【図２】
2004185577.tif 000004